(57)【要約】【課題】大型化を抑えながら光量の増加が可能な照明装置を提供すること。【解決手段】互いに重ね合わされ、端面（８Ｃ〜８Ｆ，９Ｃ〜９Ｆ）を光入射面とし、幅広面を光出射面８Ａ，８Ｂ，９Ａ，９Ｂとする複数の板状の導光板８，９と、複数の各導光板８，９の端面（８Ｃ〜８Ｆ，９Ｃ〜９Ｆ）に対向する位置に配置され、各導光板８，９に光を入射させるＬＥＤ３とを有する照明装置であって、ＬＥＤ３が配置された端面は、隣接する導光板同士８，９で互いに隣接していないこととする。【選択図】図２
2014235784.tif 000002
【特許請求の範囲】
【請求項１】
互いに重ね合わされ、端面を光入射面とし、幅広面を光出射面とする複数の板状の導光板と、
前記複数の各導光板の前記端面に対向する位置に配置され、前記各導光板に光を入射させる光源と、
を有する照明装置であって、
前記光源が配置された前記端面は、隣接する前記導光板同士で互いに隣接していない、
ことを特徴とする照明装置。
【請求項２】
請求項１に記載の照明装置において、
前記光源は、フレキシブル基板上に実装され、前記フレキシブル基板は、隣接する前記導光板の端面に対向する位置にも配置されている、
ことを特徴とする照明装置。
【請求項３】
請求項２に記載の照明装置において、
前記フレキシブル基板の前記導光板側の面は白色または銀色である、
ことを特徴とする照明装置。
【請求項４】
請求項１から３のいずれか１項に記載の照明装置において、
前記光源は、少なくとも２枚の前記導光板について互いに異なる色光である、
ことを特徴とする照明装置。
【請求項５】
請求項１から４のいずれか１項に記載の照明装置において、
前記導光板にそれぞれ備えられる前記光源は複数の光源であり、前記導光板の光出射面には、前記複数の光源の隣り合う光源の間に光拡散部が備えれている、
ことを特徴とする照明装置。
【請求項６】
請求項１から５のいずれか１項に記載の照明装置において、
前記重ね合わされた複数の導光板のうち最も外側に配置される導光板の光出射面であって、前記導光板が重ね合わされる側とは反対側に光を出射させる光出射面である第１光出射面に配置され、
前記第１光出射面から出射した光が入射する第１光入射面と、この第１光入射面から入射した光が出射する第２光出射面と、前記第１光出射面側に突出し前記第１光出射面の周縁部に対向し前記周縁部から出射する光が入射する第２光入射面を有する凸条部とを有する光拡散板を備える、
ことを特徴とする照明装置。
【請求項７】
請求項６に記載の照明装置において、
前記周縁部と前記第２光入射面との間には、前記周縁部から出射した光が前記第２光入射面に入射する光量を制限する光遮光部材が備えられている、
ことを特徴とする照明装置。
【発明の詳細な説明】
【技術分野】
【０００１】
本発明は、照明装置に関する。
【背景技術】
【０００２】
重ね合わされた複数の導光板と、それぞれの導光板の端面に光を入射させる光源とを備え、各導光板に入射した光を被照明側に配置される導光板から照射する照明装置が、たとえば、特許文献１に開示されている。
【先行技術文献】
【特許文献】
【０００３】
【特許文献１】ＷＯ２０１１／１２９１１７Ａ１
【発明の概要】
【発明が解決しようとする課題】
【０００４】
しかしながら、照明装置には、大型化を抑えながら光量の増加が要求される。
【０００５】
本発明は、かかる要求に応えるため、大型化を抑えながら光量の増加が可能な照明装置を提供することを目的とする。
【課題を解決するための手段】
【０００６】
上記課題を解決するために、本発明は、互いに重ね合わされ、端面を光入射面とし、幅広面を光出射面とする複数の板状の導光板と、複数の各導光板の端面に対向する位置に配置され、各導光板に光を入射させる光源とを有する照明装置であって、光源が配置された端面は、隣接する導光板同士で互いに隣接していないこととする。
【０００７】
また、上記発明に加えて、光源は、フレキシブル基板上に実装され、フレキシブル基板は、隣接する導光板の端面に対向する位置にも配置されていることとする。
【０００８】
また、上記発明に加えて、フレキシブル基板の導光板側の面は白色または銀色であることとする。
【０００９】
また、上記発明に加えて、光源は、少なくとも２枚の導光板について互いに異なる色光であることとする。
【００１０】
また、上記発明に加えて、導光板にそれぞれ備えられる光源は複数の光源であり、導光板の光出射面には、複数の光源の隣り合う光源の間に光拡散部が備えれていることとする。
【００１１】
また、上記発明に加えて、照明装置は、重ね合わされた複数の導光板のうち最も外側に配置される導光板の光出射面であって、導光板が重ね合わされる側とは反対側に光を出射させる光出射面である第１光出射面に配置され、第１光出射面から出射した光が入射する第１光入射面と、この第１光入射面から入射した光が出射する第２光出射面と、第１光出射面側に突出し第１光出射面の周縁部に対向し周縁部から出射する光が入射する第２光入射面を有する凸条部とを有する光拡散板を備えることとする。
【００１２】
また、上記発明に加えて、周縁部と第２光入射面との間には、周縁部から出射した光が第２光入射面に入射する光量を制限する光遮光部材が備えられていることとする。
【図面の簡単な説明】
【００１３】
【図１】照明装置の概略の構成を示す全体斜視図である。
【図２】図１に示す照明装置の概略の構成を示す分解斜視図である。
【図３】図１に示す照明装置を構成する重ね合わせ導光板の分解斜視図である。
【図４】図１に示す照明装置との比較例を説明する図である。
【図５】図１に示す照明装置の変形例を示す図である。
【図６】図１に示す照明装置の変形例を示す図である。
【図７】図１に示す照明装置の変形例を示す図である。
【図８】図７に示す照明装置との比較例を説明する図である。
【図９】図７に示す照明装置の変形例を示す図である。
【図１０】図１に示す照明装置の変形例を示す図である。
【図１１】本発明の他の実施の形態に係る照明装置の概略の構成を示す平面図である。
【図１２】図１１のＡ−Ａ切断面の概略の構成を示す部分断面図である。
【図１３】図１１のＢ−Ｂ切断面の概略の構成を示す部分断面図である。
【図１４】図１１に示す照明装置の変形例を示す図である。
【図１５】図１１に示す照明装置の変形例を示す図である。
【図１６】図１１に示す照明装置の変形例を示す図である。
【図１７】図１６に示す照明装置の変形例の側面を示す図である。
【図１８】図１１に示す照明装置の変形例を示す図である。
【図１９】図１１に示す照明装置の変形例を示す図である。
【図２０】図１１に示す照明装置の変形例を示す図である。
【図２１】図１１に示す照明装置の変形例を示す図である。
【図２２】図１１に示す照明装置の変形例を示す図である。
【図２３】図１１に示す照明装置の変形例を示す図である。
【発明を実施するための形態】
【００１４】
以下、本発明の実施の形態に係る照明装置１について、図面を参照しながら説明する。
【００１５】
（第１の実施の形態）
図１から図３を参照しながら本発明の第１の実施の形態に係る照明装置１の構成について説明する。図１は、照明装置１の概略の構成を示す全体斜視図である。図２は、照明装置１の概略の構成を示す分解斜視図である。図３は、照明装置１を構成する重ね合わせ導光板（以下、重合導光板と記載する。）２の分解斜視図である。
【００１６】
以下の説明において、図１，２，３に示す矢印Ｘ１方向を左方、矢印Ｘ２方向を右方、矢印Ｙ１方向を前方、矢印Ｙ２方向を後方とし、また、矢印Ｚ１方向を上方、矢印Ｚ２方向を下方として説明を行うこととする。なお、これらの方向の指定は、説明の便宜のためであり、照明装置１の設置方向や照明装置１を構成する部材等の配置方向を指定（限定）するものではない。
【００１７】
（照明装置１の全体構成）
図１および図２に示すように、照明装置１は、重合導光板２と、複数のＬＥＤ３が実装された２つのフレキシブル基板（以下、ＦＰＣと記載する）４と、同じく複数のＬＥＤ３が実装された２つのＦＰＣ５とを有する。
【００１８】
（重合導光板２）
重合導光板２は、図２，３に示すように、２枚の導光板８および導光板９が上下に重ね合わされて構成されている。導光板８および導光板９は、上下方向に扁平した直方体であり、平面視において正方向形である板状体を呈し、共に同一形状である。導光板８は、上面８Ａおよび下面８Ｂと、端面８Ｃ，８Ｄ，８Ｅ，８Ｆとを有する。また、導光板９も、上面９Ａおよび下面９Ｂと、端面９Ｃ，９Ｄ，９Ｅ，９Ｆとを有する。なお、図において導光板８，９の厚さや大きさは誇張されて描かれている。導光板８，９の厚さや大きさ、一例として、厚さ１.５ｍｍ、縦横１０ｃｍ程度である。これよりも厚くあるいは薄く、また、縦横が大小するものであってもよい。
【００１９】
導光板８と導光板９とは同一の形状である。そのため、図２に示すように、上面９Ａに下面８Ｂが重なるように、導光板８と導光板９と重ねたときに、２枚の導光板同士の端面が上下方向で面一となるように（同一面上に）配置することができる。したがって、重合導光板２も上下方向に扁平した直方体であり、平面視において正方形である板状体を呈する。
【００２０】
重合導光板２の上面２Ａは、導光板８の上面８Ａと同一面であり、下面２Ｂは導光板９の下面９Ｂと同一面である。重合導光板２の端面２Ｃは、導光板８の端面８Ｃおよび導光板９の端面９Ｃにより形成される。重合導光板２の端面２Ｄは、導光板８の端面８Ｄおよび導光板９の端面９Ｄにより形成される。重合導光板２の端面２Ｅは、導光板８の端面８Ｅおよび導光板９の端面９Ｅにより形成される。重合導光板２の端面２Ｆは、導光板８の端面８Ｆおよび導光板９の端面９Ｆにより形成される。
【００２１】
なお、導光板８，９は、たとえば、アクリル樹脂、ポリカーボネイト樹脂あるいはガラスなどの透明な材料に、光散乱粒子を混合することで、導光板８，９内に入射した光を散乱させ外部に出射できる構成となっている。光散乱粒子としては、たとえば、特開２０１０−９７０８８、特開２０１０−１２３３０９等に開示される光散乱粒子を用いることができる。また、光散乱粒子を混合する代わりに、導光板８，９の表面にドットパターンを形成する等の方法により光散乱面を形成する構成としてもよい。
【００２２】
（ＦＰＣ４）
ＦＰＣ４は、複数のＬＥＤ３が実装される実装部４Ａと、図示外の制御部に接続される接続部４Ｂとを有する。実装部４Ａの面形状は、重合導光板２の端面２Ｃ（端面２Ｄ）の形状および大きさと略同一である。また、実装部４Ａの上側半分の部分には、実装部４Ａの長手方向に沿って複数のＬＥＤ３が配列されている。
【００２３】
２つのＦＰＣ４のうち、一方のＦＰＣ４は、重合導光板２に対して、ＬＥＤ３が実装される側を端面２Ｃ側に向け、そして、ＬＥＤ３が端面８Ｃに対向するように配置される。したがって、ＬＥＤ３から照射された光は、端面８Ｃから導光板８内に入射することができる。実装部４Ａの面形状は、重合導光板２の端面２Ｃの形状および大きさと略同一である。そのため、上述のようにＦＰＣ４が重合導光板２に対して配置されることで、実装部４Ａの下側半分の部分は導光板９の端面９Ｃに対向することになる。
【００２４】
また、他方のＦＰＣ４は、重合導光板２に対して、ＬＥＤ３が実装される側を端面２Ｄ側に向け、ＬＥＤ３が端面８Ｄに対向するように配置される。したがって、ＬＥＤ３から照射された光は、端面８Ｄから導光板８内に入射し、また、実装部４Ａの下側半分の部分は導光板９の端面９Ｄに対向する。
【００２５】
（ＦＰＣ５）
ＦＰＣ５は、複数のＬＥＤ３が実装される実装部５Ａと、図示外の制御部に接続される接続部５Ｂとを有する。実装部５Ａの面形状は、重合導光板２の端面２Ｅ（端面２Ｆ）の形状および大きさと略同一である。また、実装部５Ａの下側半分の部分には、実装部５Ａの長手方向に沿って複数のＬＥＤ３が配列されている。
【００２６】
２つのＦＰＣ５のうち、一方のＦＰＣ５は、重合導光板２に対して、ＬＥＤ３が実装される側を端面２Ｅ側に向け、また、ＬＥＤ３が端面９Ｅに対向するように配置される。したがって、ＬＥＤ３から照射された光は、端面９Ｅから導光板９内に入射することができる。実装部５Ａの面形状は、重合導光板２の端面２Ｅの形状および大きさと略同一である。そのため、上述のようにＦＰＣ５が重合導光板２に対して配置されることで、実装部５Ａの上側半分の部分は導光板８の端面８Ｅに対向することになる。
【００２７】
また、他方のＦＰＣ５は、重合導光板２に対して、ＬＥＤ３が実装される側を端面２Ｆ側に向け、ＬＥＤ３が端面９Ｆに対向するように配置される。したがって、ＬＥＤ３から照射された光は、端面９Ｆから導光板９内に入射し、また、実装部５Ａの上側半分の部分は導光板８の端面８Ｆに対向する。
【００２８】
なお、ＦＰＣ４，５に実装されるＬＥＤ３の個数は、図１，２に例示的に示す７つに限らず、これよりも多くても、あるいは少なくともよい。ＬＥＤ３は、たとえば、１つであってもよい。
【００２９】
（照明装置１の動作等）
次に、上述の構成を有する照明装置１の動作等について説明する。
【００３０】
重合導光板２は、導光板８と導光板９とが重ね合わされた導光板であり、導光板８と導光板９との間には、空気層が形成されている。導光板８の端面８Ｃ，８Ｄには、それぞれＬＥＤ３が配置され、端面８Ｃ，８Ｄから導光板８内に光を入射させることができる。つまり、端面８Ｃ，８Ｄは光入射面として機能する。また、導光板９の端面９Ｅ，９Ｆにも、それぞれＬＥＤ３が配置され、端面９Ｅ，９Ｆから導光板８内に光を入射させることができる。つまり、端面９Ｅ，９Ｆは光入射面として機能する。
【００３１】
導光板８の端面８Ｃ，８Ｄから導光板８内に入射した光は、導光板８内で散乱され、端面８Ｃ，８Ｄに比べて幅広の面である上面８Ａおよび下面８Ｂから導光板８外に出射する。導光板９の端面９Ｅ，９Ｆから導光板８内に入射した光についても同様に、導光板９内で散乱され、端面９Ｅ，９Ｆに比べて幅広の面である上面９Ａおよび下面９Ｂから導光板９外に出射する。
【００３２】
導光板８の下面８Ｂから出射した光は、導光板９に入射し、導光板９の下面９Ｂから導光板９外に出射する。また、導光板９の上面９Ａから出射した光は、導光板８に入射し、導光板８の上面８Ａから導光板８外に出射する。したがって、重合導光板２の上面２Ａからは、導光板８の端面８Ｃ，８Ｄから入射した光に加えて、導光板９の上面９Ａから出射した光も出射する。また、重合導光板２の下面２Ｂからは、導光板９の端面９Ｅ，９Ｆから入射した光に加えて、導光板８の下面８Ｂから出射した光も出射する。
【００３３】
導光板８には、複数の端面、すなわち端面８Ｃおよび端面８Ｄから光が入射する。また、導光板９についても、複数の端面、すなわち端面９Ｅおよび端面９Ｆから光が入射する。このように、複数の端面から導光板内に光を入射させることで、照明装置１から出射する照明光の光量を増加させることができる。
【００３４】
導光板８に入射するＬＥＤ３の光の色と導光板９に入射するＬＥＤ３の光の色を互いに異なる色にしてもよい。たとえば、導光板８に入射するＬＥＤ３の色光を白色とし、導光板８に入射するＬＥＤ３の色光を暖色とすることができる。暖色とは、たとえば、いわゆる電球色であり、白色に比べてやや茶色がかった色である。また、導光板８に入射するＬＥＤ３の光の色と導光板９に入射するＬＥＤ３の光の色は、白色と暖色の組合せに拘わらず、白色と赤色、黄色と緑色等所望の組合せとすることができる。
【００３５】
なお、たとえば、導光板８に光を入射させる複数のＬＥＤ３を、交互に異なる色光のＬＥＤを配置し、また、導光板９に光を入射させる複数のＬＥＤ３を、交互に異なる色光のＬＥＤを配置する構成とすることも考えられる。しかしながら、かかる構成とした場合には、異なる光のＬＥＤが隣接することになり、異なる光のＬＥＤが隣接する部分では、重合導光板２から出射する光に色むらが発生し易くなる。これに対し、導光板８から出射する光の色と導光板９から出射する光の色とをそれぞれ１色とし、各導光板から出射する光の色を互いに異なるようにすることで、重合導光板２から出射する光に色むらが発生し難くすることができる。
【００３６】
ＬＥＤ３が備えられる導光板８の端面８Ｃ，８Ｄと、導光板９の端面９Ｅ，９Ｆとは、導光板８と導光板９同士で互いに隣接していない。つまり、導光板８の端面８Ｃには、導光板９のＬＥＤ３が備えられていない端面９Ｃが隣接する。また、導光板８の端面８Ｄには、導光板９のＬＥＤ３が備えられていない端面９Ｄが隣接する。さらに、導光板９の端面８Ｅには、導光板８のＬＥＤ３が備えられていない端面８Ｅが隣接する。そして、導光板９の端面８Ｆには、導光板８のＬＥＤ３が備えられていない端面８Ｆが隣接する。
【００３７】
上記の構成に対し、仮に、たとえば、図４に示すように、導光板８と導光板９とで隣接する端面（たとえば、端面８Ｃと端面９Ｃ、および端面８Ｄと端面９Ｄ）にそれぞれＬＥＤ３を備える構成とした場合には、１つのＦＰＣ１００に上下２列にＬＥＤ３が実装されることになる。ＦＰＣ１００の実装部１００Ａには、ＬＥＤ３を駆動する回路等を実装する必要がある。つまり、実装部１００Ａに上下２列にＬＥＤ３を実装した場合には、実装部１００Ａの上下方向の幅は、ＬＥＤ３自体が実装される幅に加えて駆動回路等が配置される幅Ｗ１を確保する必要がある。そのため、図４に示すように、実装部１００Ａの上下方向の幅Ｗ２が、導光板２の厚さＷ３を超え、照明装置１の大型化を招く虞がある。
【００３８】
これに対し、図１から図３に示すように、ＬＥＤ３が備えられる導光板８の端面８Ｃ，８Ｄと、同じくＬＥＤ３が備えられる導光板９の端面９Ｅ，９Ｆとが、導光板８と導光板９同士で互いに隣接していない構成とすることで、ＬＥＤ３を上下２列に配置しないようにすることができる。このため、実装部４Ａ，５Ａの上下方向（導光板２の厚さ方向）の拡幅を抑えることができる。実装部４Ａ，５Ａの上下方向の拡幅を抑えることにより、照明装置１の大型化を抑えることができる。
【００３９】
また、照明装置１においては、上述したように、ＬＥＤ３が備えられる導光板８の端面８Ｃ，８Ｄと、導光板９の端面９Ｅ，９Ｆとが、導光板８と導光板９同士で互いに隣接していない構成となっている。そのため、導光板８の端面８ＣにＬＥＤ３を配置させるＦＰＣ４の実装部４Ａを導光板９の端面９Ｃに延設させることができる。すなわち、ＦＰＣ４を、導光板８に隣接する導光板９の端面９Ｃに対向する位置にも配置させている。これにより、照明装置１の大型化を抑えながら実装部４の面積を大きくすることができる。導光板８の端面８ＤにＬＥＤ３を配置させるＦＰＣ４についても同様に、照明装置１の大型化を抑えながら実装部４の面積を大きくすることができる。
【００４０】
また、導光板９の端面９ＥにＬＥＤ３を配置させるＦＰＣ５についても同様に、実装部５Ａを導光板８の端面８Ｅに対向するように延設させることができ、照明装置１の大型化を抑えながら実装部５の面積を大きくすることができる。さらに、導光板９の端面９ＦにＬＥＤ３を配置させるＦＰＣ５についても同様に、照明装置１の大型化を抑えながら実装部５の面積を大きくすることができる。
【００４１】
（照明装置１の変形例）
図５に示すように、ＦＰＣ４の実装部４Ａは、導光板８に隣接する導光板９の端面９Ｃ，９Ｄに対向する位置に延設されることで面積が大きくされている。これにより、照明装置１の大型化を抑えながら、ＬＥＤ３の下側に放熱部１０を備えることができる。ＦＰＣ５についても同様に、実装部５Ａの面積を大きくすることがで、照明装置１の大型化を招くことなく、ＬＥＤ３の上側に放熱部１０を備えることができる。放熱部１０は、たとえば、アルミ等の金属箔あるいは薄い金属板を貼着することで構成することができる。
【００４２】
ＦＰＣ４の実装部４ＡとＦＰＣ５の実装部５Ａの導光板２側の面は、白色または銀色とすることが好ましい。たとえば、実装部４Ａと実装部５Ａに白色あるいは銀色の塗料を塗布することで、実装部４Ａと実装部５Ａの導光板２側の面を白色または銀色とすることができる。実装部４Ａと実装部５Ａに白色または銀色のフィルムを貼着する構成としてもよい。
【００４３】
放熱部１０は、ＦＰＣ４，５の導光板２に面する側、あるいは、その反対側の何れに設けても良い。放熱部１０をＦＰＣ４，５の導光板２に面する側に設ける場合は、放熱部１０についても、白色または銀色とすることが好ましい。
【００４４】
一般に、ＦＰＣは、茶色を呈している。そのため、導光板の光出射面からＦＰＣの色が視認されることがある。これに対し、実装部４Ａと実装部５Ａの導光板２側の面を、白色または銀色とすることで、導光板２から出射する光の色をＬＥＤ３の発光色に近づけることができる。
【００４５】
白色または銀色の実装部４Ａは、導光板９の端面９Ｃ，９Ｄにも対向させ、また、白色または銀色の実装部５Ａも、導光板８の端面８Ｅ，８Ｆにも対向させることが好ましい。このように構成することで、導光板２から出射する光の色をＬＥＤ３の発光色により近づけることができる。
【００４６】
なお、実装部４Ａ，５Ａの面形状と大きさは、導光板２の各端面の形状以上の大きさ（端面と同一形状か、端面を実装面４Ａ，５Ａに投影したときに、投影面が実装面４Ａ，５Ａに内包できる大きさ）とすることが好ましい。実装部４Ａ，５Ａの面形状と大きさをこのようにすることで、実装部４Ａ，５Ａを白色または銀色としたときに、導光板２から出射する光の色をＬＥＤ３の発光色により一層近づけることができる。
【００４７】
図６に示すように、導光板９の下面９Ｂ（図２，３参照）、すなわち、導光板２の下面２Ｂ（図２，３参照）に反射面１１を設けても良い。導光板２の下面２Ｂに反射面１１を設けることで、照明装置１を片面出射の構成とすることができる。また、導光板２の下面２Ｂに反射面１１を設けることで、下面２Ｂから出射する光が再び導光板２内に戻され、上面２Ａから出射させることができ、上面２Ａから出射する光量を増やすことができる。なお、反射面１１を上面２Ａの側に設けてもよく、この場合には、下面２Ｂから出射する光量を増やすことができる。
【００４８】
ＦＰＣ４に実装されるＬＥＤ３が複数個の場合には、図７に示すように、導光板８の上面８Ａ，８ＢのＬＥＤ３が配置される側の端面８Ｃ，８Ｄに、複数の光拡散部１２（上面８Ｂ側については図示省略）を形成することが好ましい。光拡散部１２は、隣接するＬＥＤ３の間の部分に対応した部分に形成されている。また、ＦＰＣ５に実装されるＬＥＤ３が複数個の場合にも、導光板９の上面９Ａ，９ＢのＬＥＤ３が配置される側の端面９Ｅ，９Ｆに、複数の光拡散部１２（上面９Ｂ側については図示省略）を形成することが好ましい。上面９Ａ，９Ｂに形成される光拡散部１２も、隣接するＬＥＤ３の間の部分に対応した部分に形成されている。
【００４９】
光拡散部１２は、たとえば、上面８Ａ，８Ｂあるいは上面９Ａ，９Ｂを粗面化処理により形成される微細な無数の凹凸部により構成することができる。光拡散部１２の形状は、端面８Ｃ，８Ｄおよび端面９Ｅ，９Ｆ側を底辺とする三角形をなしている。つまり、光拡散部１２は、端面側からＬＥＤ３の光の照射方向に向かって、幅が狭くなる形状となっている。
【００５０】
上面８Ａ，８Ｂでは、隣り合うＬＥＤ３の間の領域部分は照度が落ち易い。そこで、この照度が低くなり易い部分に、光拡散部１２を形成することで、光拡散部１２で光が拡散され、隣り合うＬＥＤ３の間の領域部分での照度の低下を抑えることができる。そのため、上面８Ａ，８Ｂから出射する光の照度分布の均一化を図ることができる。上面９Ａ，９Ｂにおいても同様に、隣り合うＬＥＤ３の間の領域部分は照度が落ち易い。そこで、この照度が低くなり易い部分に、光拡散部１２を形成することで、光拡散部１２で光が拡散され、隣り合うＬＥＤ３の間の領域部分での照度の低下を抑えることができる。そのため、上面９Ａ，９Ｂから出射する光の照度分布の均一化を図ることができる。ひいては、導光板２の上面２Ａおよび下面２Ｂから出射する光の照度分布の均一化を図ることができる。
【００５１】
なお、図７に示す重合導光板２は、上面２Ａおよび下面２Ｂの両面から光が出射する構成であるが、いずれか一方の面、たとえば、上面２Ａから出射する光のみを照明光としても用いる場合には、光拡散部１２は、導光板８については上面８Ａにのみ形成すれば足り、また導光板９については上面９Ａについてのみ形成すれば足りる。下面２Ｂから出射する光のみを照明光としても用いる場合には、光拡散部１２は、導光板８については下面８Ｂに、また導光板９についても下面９Ｂについてのみ形成すれば足りる。したがって、たとえば、図６に示すように、導光板２の下面２Ｂに反射面１１を設ける構成の場合には、導光板８については上面８Ａに、また導光板９については上面９Ａに光拡散部１２を形成すれば足りる。
【００５２】
なお、光拡散部１２の平面形状は図示するように三角形である。ＬＥＤ３から出射される光は、隣接するＬＥＤ３とＬＥＤ３との間で照度が大きく落ち易く、ＬＥＤ３の照射方向に向かって徐々に照度の落ち込みが小さくなる。したがって、ＬＥＤ３から照射方向に向かって離れるに従い、光拡散部１２の面積を徐々に小さくしていくことが、照度分布の均一化を図る上でより好ましい。この意味から光拡散部１２の形状は、ＬＥＤ３から離れていくに従い幅が狭くなる形状が好ましく、必ずしも三角形である必要はない。たとえば、ＬＥＤ３から離れていくに従い幅が狭くなる形状として、円形あるいは楕円形の一部であってもよい。しかしながら、円形あるいは楕円形に比べて、三角形とすることで、照度分布の均一化を効果的に図ることができる。
【００５３】
ところで、たとえば、図８に示すように、一枚の導光板１１０の４つの端面１１０Ｃ，１１０Ｄ，１１０Ｅ，１１０Ｆにそれぞれ対応させて光拡散部１２を形成することもできる。そして、導光板１１０の４つの端面１１０Ｃ，１１０Ｄ，１１０Ｅ，１１０ＦそれぞれにＬＥＤ３が配置されるようにＦＰＣ１１１を備えることもできる。
【００５４】
しかしながら、かかる構成とした場合は、端面１１０Ｃ，１１０Ｄに対して配置されるＬＥＤ３から導光板１１０内に入射した光が、端面１１０Ｅ，１１０Ｆに対応して配置された光拡散部１２で拡散される。さらに、この端面１１０Ｅ，１１０Ｆに対応して配置された光拡散部１２では、端面１１０Ｅ，１１０Ｆに対して配置されるＬＥＤ３から導光板１１０内に入射した光も拡散される。したがって、端面１１０Ｅ，１１０Ｆに対応して配置された光拡散部１２の照度が極端に高くなり易い。
【００５５】
また、端面１１０Ｅ，１１０Ｆに対して配置されるＬＥＤ３から導光板１１０内に入射した光が、端面１１０Ｃ，１１０Ｄに対応して配置された光拡散部１２で拡散される。さらに、この端面１１０Ｃ，１１０Ｄに対応して配置された光拡散部１２では、端面１１０Ｃ，１１０Ｄに対して配置されるＬＥＤ３から導光板１１０内に入射した光も拡散される。したがって、端面１１０Ｃ，１１０Ｄに対応して配置された光拡散部１２の照度が極端に高くなり易い。
【００５６】
このように、一枚の導光板１１０の４つの端面１１０Ｃ，１１０Ｄ，１１０Ｅ，１１０Ｆにそれぞれ光拡散部１２を形成し、各端面から光を入射する構成の場合は、光拡散部１２の照度が極端に高くなり易く、上面１１０Ａあるいは下面１１０Ｂから出射する光の照度分布の均一化が損なわれる。
【００５７】
これに対し、上述した照明装置１のように、導光板８と導光板９との２枚とし、導光板８については、端面８Ｃ，８ＤにのみＬＥＤ３を配置し、ＬＥＤ３が配置される端面８Ｃ，８Ｄにのみ光拡散部１２を形成する。すなわち、ＬＥＤ３が配置されていない端面８Ｅ，８Ｆには光拡散部１２を形成しない。そのため、上面８Ａあるいは下面８Ｂから出射する光の照度分布の均一化を図ることができる。
【００５８】
また、導光板９についても、端面９Ｅ，９ＦにのみＬＥＤ３を配置し、ＬＥＤ３が配置される端面９Ｅ，９Ｆにのみ光拡散部１２を形成する。すなわち、ＬＥＤ３が配置されていない端面９Ｃ，９Ｄには光拡散部１２を形成しない。そのため、上面９Ａあるいは下面９Ｂから出射する光の照度分布の均一化を図ることができる。
【００５９】
導光板８の上面８Ａおよび下面８Ｂから出射する光の照度分布の均一化、および導光板９の上面９Ａおよび下面９Ｂから出射する光の照度分布の均一化を図ることで、導光板２の上面２Ａあるいは下面２Ｂから出射する光の照度分布の均一化を図ることができる。
【００６０】
上述の光拡散部１２は、たとえば、粗面化処理によって形成された微細な凹凸面で構成されているが、光拡散部１２を、たとえば、図９に示すように、微細な複数のレンズ形状の凹凸部等にて形成される光拡散部１２Ａとしてもよい。
【００６１】
このことについて、図９を参照しながら説明する。なお、図９は、導光板８の端面８Ｄの光拡散部１２Ａが形成されている部分の部分拡大図であり、端面８Ｃおよび導光板９に形成される光拡散部１２Ａについても同様の構成である。光拡散部１２Ａは、図示したドットの一つひとつが、凸レンズ形状または凹レンズ形状または円錐形状の微細な凹凸部で形成されている。以下の説明では、凹凸部を凸レンズ形状の凸部１２Ｂとして説明する。
【００６２】
光拡散部１２Ａは、隣り合うＬＥＤ３の間の部分に対応した部分に形成される。凸部１２Ｂは、図９に示すように、隣り合うＬＥＤ３同士の中間の位置に対応する位置であってＬＥＤ３が配置されている端面８Ｄに近い側ほど密となるように配置されている。このような凸部１２Ｂの配置が密となる位置は、隣り合うＬＥＤ３同士の間の中間の位置に対応する位置であるため、ＬＥＤ３から遠く暗くなり易い位置である。また、凸部１２Ｂは、上記の中間の位置に位置に対応する位置から遠ざかるにしたがって、また、端面８Ｄから遠ざかるにしたがって粗となるように配置されている。
【００６３】
なお、図示は省略するが、凸レンズ形状、凹レンズ形状、円錐形状の凹凸部以外に、Ｖ字形状の溝を設ける構造としてもよい。まお、Ｖ字形状の溝は、図示した光拡散部１２Ａの範囲において、凸部１２Ｂが最も密に集合する位置から放射状に広がるように配置されることが好ましい。
【００６４】
以上説明した本実施例によれば、凸レンズ形状、凹レンズ形状、円錐形状の凹凸部やＶ字形状の溝の集合体で形成された光拡散部１２Ａを設け、これらの集合体は、隣り合うＬＥＤ３同士の中間の位置に対応する位置であってＬＥＤ光源が配置されている端面８Ｄに近いほど密となるように配置され、上記の中間の位置に対応する位置から遠ざかるにしたがって、また端面８Ｄから遠ざかるにしたがって粗となるように配置している。このようにすることによって、ＬＥＤ３間の暗くなり易い位置の明るさの落ち込みを低減し、重合導光板２の上面２Ａから出射する光の照度分布の均一化を図ることができる。
【００６５】
なお、図９に示すように、導光板８の上面８Ａには、光拡散部１２Ａ以外の部分にも凸部１２Ｂを点在させている。このように、凸部１２Ｂを点在させることによって、色むらの発生を抑えることができる。導光板９についても同様に、光拡散部１２Ａ以外の部分にも凸部１２Ｂを点在させることで、色むらの発生を抑えることができる。
【００６６】
なお、導光板８，９に光拡散部１２を形成することに加えて、実装部４Ａ，５Ｂの導光板２側の面を白色または銀色とすることで、重合導光板２の上面２Ａあるいは下面２Ｂから出射する光の照度分布の均一化をより一層図ることができる。
【００６７】
照明装置１は、導光板８，９が平面視において、正方形の例を示しているが、長方形であってもよく、また、三角形あるいは五角形以上の多角形であってもよい。また、重ねる導光板の枚数は２枚に限らない。上述の例では、２枚の導光板８，９を備える構成を示したが、図１０に示すように、重合導光板２を３枚の導光板８，９，１３にて構成してもよい。この場合、各導光板に入射する光の色を互いに異ならせてもよい。たとえば、導光板８に入射するＬＥＤ３の色光を赤、導光板９に入射するＬＥＤ３の色光を緑、導光板１３に入射するＬＥＤ３の色光を青とすることができる。
【００６８】
なお、本実施の形態では、光源としてＬＥＤ３を用いた場合を例示しているが、光源としては、ＣＣＦＬ（Cold Cathode Fluorescent Lamp：冷陰極蛍光管）、電球（たとえば白熱電球）や蛍光灯などを用いることが可能であって、特に光源の種類には限定されない。しかし、ＬＥＤ光源は、他の光源と比べ、消費電力が小さい、発熱量が小さい、小型化しやすい、低コストなどで優れている。したがって、以下に説明する実施の形態においても、光源としてＬＥＤ３を用いた場合を例示して説明する。
【００６９】
（本発明の他の実施の形態）
図１１から図１３に示すように、照明装置１は、さらに、光拡散板２１と、フレーム２２と、反射板２３（図１２，１３参照）とを備える照明装置２０として構成としてもよい。図１１は、照明装置２０の概略の構成を示す平面図である。図１１に示すように、照明装置２０は、左端面側の光源部２４と、右端面側の光源部２５と、前端面側の光源部２６と、後端面側の光源部２７とを備えている。図１２は、図１１のＡ−Ａ切断面における光源部２４の概略の構成を示す部分断面図である。図１３は、図１１のＢ−Ｂ切断面における光源部２７の概略の構成を示す部分断面図である。なお、照明装置１と同様の部材については、同一の符号を付し、その説明を省略または簡略化することがある。
【００７０】
照明装置２０において、光源部２４は、端面２Ｄと、端面２Ｄ側に配置されるＬＥＤ３と、ＦＰＣ４の実装部４Ａ（図１２参照）と、フレーム２２と、光拡散板２１の凸条部２８と、重合導光板２の凸条部２８と対向する部分である周縁部２９Ａ（図１２参照）とが配置される部分を言う。また、光源部２５は、端面２Ｃと、端面２Ｃ側に配置されるＬＥＤ３と、ＦＰＣ４の実装部４Ａと、フレーム２２と、光拡散板２１の凸条部２８と、重合導光板２の凸条部２８と対向する部分である周縁部２９Ｂとが配置される部分を言う。
【００７１】
また、光源部２６は、端面２Ｅと、端面２Ｅ側に配置されるＬＥＤ３と、ＦＰＣ５の実装部５Ａと、フレーム２２と、光拡散板２１の凸条部２８と、重合導光板２の凸条部２８と対向する部分である周縁部２９Ｃとが配置される部分を言う。また、光源部２７は、端面２Ｆと、端面２Ｆ側に配置されるＬＥＤ３と、ＦＰＣ５の実装部５Ａ（図１３参照）と、フレーム２２と、光拡散板２１の凸条部２８と、重合導光板２の凸条部２８と対向する部分である周縁部２９Ｄ（図１３参照）とが配置される部分を言う。
【００７２】
光源部２４と光源部２５とは、互いに対向するように配置されているが両者共通な構成である。また、光源部２６と光源部２７とについても、互いに対向するように配置されているが両者共通な構成である。光源部２４および光源部２５と、光源部２６および光源部２７とは、ＬＥＤ３が配置される導光板が異なる（光源部２４および光源部２５においては導光板８にＬＥＤ３が配置され、光源部２６および光源部２７においては導光板９にＬＥＤ３が配置される）点を除いて同様な構成である。光源部２４と光源部２５とについては、図１２において、光源部２４を例示して説明し、また、光源部２６と光源部２７とについて、図１３において、光源部２７を例示して説明する。図１２，１３において、光源部２４および光源部２７と同様の構成部分については、同一の符号を付している。
【００７３】
照明装置２０は、全体として上下方向に偏平なパネル型を呈し、上方向から見た外形、すなわち平面視における輪郭の形状が正方形である。光拡散板２１は、第１光出射面としての重合導光板２の上面２Ａ側に配置されている。光拡散板２１としては、光散乱粒子が多数含有される光散乱導光体が用いられている。光拡散板２１に光散乱導光体を用いることで、光拡散板２１内に入射した光は、光拡散板２１内で散乱される。フレーム２２は、重合導光板２の端面２Ｃ，２Ｄ，２Ｅ，２Ｆにそれぞれ備えられ、ＬＥＤ３を重合導光板２に取り付ける取付部材の機能を有する。つまり、各フレーム２２には、各端面に光を入射させるＬＥＤ３が実装されるＦＰＣ４あるいはＦＰＣ５が保持され、各フレーム２２が重合導光板２の周縁部に取り付けられることで、ＬＥＤ３が重合導光板２に取り付けられる。また、フレーム２２は、ＬＥＤ３が出射した光が直接光拡散板２１に入射しないように遮光する遮光部材としても機能する。
【００７４】
照明装置２０には、導光板９の下面９Ｂ側（光拡散板２１とは反対方向）に反射板２３が配置されている。さらに、反射板２３の下面側にはＬＥＤ３の駆動制御を行う回路３０が配置されている。なお、反射板２３は、反射シートであってもよく、また、反射性の塗料を塗布する構成であってもよい。反射部の色は白色または銀色が好ましい。
【００７５】
重合導光板２の右辺側の端面２Ｃ、左辺側の端面２Ｄ、前辺側の端面２Ｅ、および後辺側の２Ｆには、それぞれＬＥＤ３が配置され、このＬＥＤ３から出射された光が各端面から重合導光板２内に入射する。各端面から重合導光板２内に入射した光は、重合導光板２内で散乱され、上面２Ａから光拡散板２１側に出射する。
【００７６】
重合導光板２は、導光板８と導光板９とが重ね合わされ、導光板８には、端面８Ｃ，８ＤにＬＥＤ３が配置され、導光板９には、端面９Ｅ，９ＦにＬＥＤ３が配置されている。したがって、図１２に示すように、端面８Ｄから導光板８に入射した光は、主に導光板８内で散乱され、上面２Ａ（上面８Ａ）から光拡散板２１側に出射する。端面８Ｃから導光板８に入射した光も同様に、主に導光板８内で散乱され、上面２Ａ（上面８Ａ）から光拡散板２１側に出射する。また、図１３に示すように、端面９Ｆから導光板９に入射した光は、主に導光板９内で散乱され、上面９Ａから導光板８側に出射し、導光板８を介して光拡散板２１側に出射する。端面９Ｅから導光板９に入射した光も同様に、主に導光板９内で散乱され、上面９Ａから導光板８側に出射し、導光板８を介して光拡散板２１側に出射する。
【００７７】
下面２Ｂは、反射板２３と密接され、下面２Ｂは、重合導光板２の内部を進行する光の反射面３１としても機能する。したがって、導光板８から導光板９に入射した光は反射面３１で上方側に反射され、上面２Ａ（上面８Ａ）から光拡散板２１側に出射することができる。また、導光板９内を進行する光も反射面３１で上方側に反射され、上面２Ａ（上面８Ａ）から光拡散板２１側に出射することができる。
【００７８】
なお、上述したように、導光板８，９には光散乱粒子が多数含有されている。したがって、導光板８，９内に入射した光を導光板内部で散乱させることができ、重合導光板２から出射する光の照度分布の均一化を図ることができる。
【００７９】
なお、ＬＥＤ３は、各導光板８，９の厚さ範囲に配置されるが、導光板８，９の厚さのほぼ中央に配置することが好ましい。中央に配置することで、中央に配置しない場合に比べて、導光板８，９に入射した光を上面２Ａから効率良く出射させることができる。
【００８０】
フレーム２２は、金属製の板を折り曲げして成形されており、端面２Ｃ，２Ｄ，２Ｅ，２Ｆに沿う基部３２と、基部３２から重合導光板２の上面２Ａ側に折り曲げられ延長された光遮光部３３と、反射板２３側に折り曲げられ延長された光遮光部３４とを備えている。フレーム２２は、光遮光部３３と光遮光部３４との間に導光板２と反射板２３とを挟み込むことにより、照明装置２０に取り付けられている。
【００８１】
また、フレーム２２は、光遮光部３３と光遮光部３４とで、重合導光板２と反射板２３とを挟み込むようにして、重合導光板２と反射板２３とを密接させている。光遮光部３３では、ＬＥＤ３から出射される光がそのまま光拡散板２１に入射しないように、つまり、ＬＥＤ３の光が、ＬＥＤ３よりも図示上方向に配置される光拡散板２１に直接入射させない光遮光機能を有する。光遮光部３４では、ＬＥＤ３からの光が反射板２３の裏面側の外部に漏れないようにする光遮光機能を有する。
【００８２】
反射板２３は、平面視において重合導光板２とほぼ同じ形状を有する板部材であって、重合導光板２の下面２Ｂに密接され、重合導光板２内を進行する光を反射面３１において反射させる。なお、図１２では、反射板２３の左辺側の端面３５の位置は、重合導光板２の端面２Ｄの位置と一致しているが、外側に突出させ、ＬＥＤ３の下方にまで延長させてもよい。なお、光源部２５，２６，２７において同様である。
【００８３】
光拡散板２１は平面視において四角形である。本実施の形態における照明装置２０の平面形状および平面サイズを規定している。つまり、光拡散板２１の外周端面３６は、フレーム２２の外側面３７と同一面内に配置されるか、外側面３７より外側（光拡散板２１の平明サイズを大きくする側）に突出している。光拡散板２１には、重合導光板２の上面２Ａに向かって突設された凸条部２８が形成されている。凸条部２８は、光源部２４，２５，２６，２７にそれぞれ備えられている。凸条部２８は、重合導光板２のＬＥＤ３が配置される側の周縁部２９Ａ，２９Ｂ，２９Ｃ，２９Ｄに対向する位置に配置されている。
【００８４】
凸条部２８の先端部分である第２光入射面としての光入射面３８は、平面であり、重合導光板２の周縁部２９Ａ，２９Ｂ，２９Ｃ，２９Ｄに対向する。光入射面３８には、上面２Ａのうち、主として周縁部２９Ａ，２９Ｂ，２９Ｃ，２９Ｄから出射された光が入射する。なお、照明装置２０において、凸条部２８は、光拡散板２１の全周に亘って、すなわち、周縁部２９Ａ，２９Ｂ，２９Ｃ，２９Ｄそれぞれに対して備えられている。このように全周にわたって形成することで、光拡散板２１の剛性を高めることもできる。
【００８５】
光拡散板２１は、Ａ−Ａ切断面（Ｂ−Ｂ切断面）、すなわち、ＬＥＤ３の配列方向に直交する平面における断面形状において、凹部３９が形成されている。凹部３９は、光拡散板２１に全周に亘って形成される凸条部２８の内側に形成されている。凹部３９の底面である第１光入射面としての凸条部内側底面４０は、上面２Ａから出射した光が入射する光入射面である。外周端面３６は、空気に接する面である。また、凸条部２８を挟んで外周端面３６の反対側の面であり、凹部３９の内側面である内周側面４１も空気に接する面である。
【００８６】
したがって、凸条部２８の内部で外周端面３６に臨界角を超えて入射する光は、外周端面３６で全反射する。また、凸条部２８の内部で内周側面４１に臨界角を超えて入射する光は、内周側面４１で全反射する。外周端面３６と内周側面４１とは互いに平行な面であり、光入射面３８は、外周端面３６と内周側面４１とに直交する面である。
【００８７】
凸条部２８の光入射面３８は、ＬＥＤ３あるいは上面２Ａ（特に周縁部２９Ａ）から出射する光が光遮光部３３により遮光される領域である遮光領域４３と、光遮光部３３により遮光されることなく入射する領域である入射領域４４とを有する。すなわち、凸条部２８の光入射面３８と、重合導光板２のＬＥＤ３が配置される側の周縁部２９Ａとの間に光遮光部３３を配置することにより、周縁部２９Ａから出射した光が光入射面３８に入射する光量を制限することができる。
【００８８】
遮光領域４３は、ＬＥＤ３から出射された光を、重合導光板２を介さずに直接光拡散板２１に入射させない幅（凸条部２８の厚さ方向の幅寸法）を少なくとも有する。また、本実施の形態では、遮光領域４３の幅と入射領域４４の幅（凸条部２８の厚さ方向の幅寸法）とは、上面２Ａから光入射面３８に入射する光が、第２光出射面としての上面４２から出射する際に、上面４２の全体の照度分布が均一化されるように設定される。上面２Ａから光入射面３８に入射した光は主に、上面４２の周縁部から出射することになる。上面４２の周縁部の明るさが、該周縁部よりも内側の明るさに近づくように、遮光領域４３の幅および入射領域４４の幅が設定される。
【００８９】
光拡散板２１の凸条部２８の光入射面３８と、フレーム２２の光遮光部３３とは密接している。照明装置２０において、重合導光板２および反射板２３とは、互いに重ねられた状態で、重合導光板２および反射板２３の周囲が、フレーム２２の光遮光部３３と光遮光部３４との間に挟み込まれている。そして、光遮光部３４側から反射板２３および重合導光板２に貫通する図示外の螺子により、重合導光板２と反射板２３とフレーム２２とが互いに固定されている。なお、互いの接触面において光透過率の高い接着剤等で固定して一体化してもよい。光拡散板２１は、光入射面３８の遮光領域４３において、フレーム２２の光遮光部３３と接着剤により固定することができる。
【００９０】
続いて、照明装置２０において、ＬＥＤ３から出射された光が光拡散板２１の上面４２から出射するまでの光の経路について、図１１，１２を参照しながら説明する。上述したように、光源部２４および光源部２５と、光源部２６および光源部２７とは、ＬＥＤ３が配置される導光板が異なる点を除いて同様な構成である。したがって、以降の説明では、主に図１２を参照しながら光源部２４を例示して説明し、必要に応じて、光源部２６および光源部２７について図１３を参照して説明する。
【００９１】
光源部２４において、重合導光板２の端面２Ｄのうち、導光板８側の端面８Ｄに配置されるＬＥＤ３から出射された光の一部は、端面８Ｄから導光板８内に入射する。そして、たとえば、図１２に示す破線Ｌ１のように、導光板８の上面８Ａおよび下面８Ｂで全反射されながら右辺側（端面８Ｃ側）に向かって進み、また、光散乱粒子で散乱されながら進み、いずれは、上面８Ａから光拡散板２１側に拡散状態で出射される。光源部２４のＬＥＤ３から出射された光の他の一部には、上面８Ａまたは下面８Ｂで全反射されることなく、光散乱粒子で散乱されながら進み、上面８Ａから拡散状態で出射されるものもある。
【００９２】
端面８Ｃに対して配置されるＬＥＤ３から出射された光も光源部２４と同様に、端面８Ｃから導光板８内に入射する。そして、導光板８内に入射された光は、導光板８の上面８Ａおよび下面８Ｂで全反射および光散乱粒子で散乱されることで、いずれは、上面８Ａから光拡散板２１側に拡散状態で出射される。
【００９３】
図１３に示すように、光源部２７において、重合導光板２の端面２Ｆのうち、導光板９側の端面９Ｆに配置されるＬＥＤ３から出射された光の一部は、端面９Ｆから導光板９内に入射する。そして、たとえば、破線Ｌ２で示すように、導光板９の上面９Ａおよび下面９Ｂで全反射されながら前辺側（端面９Ｅ側）に向かって進み、また、光散乱粒子で散乱されながら進み、いずれは、上面９Ａから導光板８内に入射する。導光板８内に入射した光は、導光板８を介して上面８Ａから光拡散板２１側に拡散状態で出射される。光源部２７のＬＥＤ３から出射された光の他の一部には、上面９Ａまたは下面９Ｂで全反射されることなく、光散乱粒子で散乱されながら進み、上面９Ａから導光板８内に入射するものもある。
【００９４】
端面９Ｅに対して配置されるＬＥＤ３から出射された光も光源部２７と同様に、端面９Ｅから導光板９内に入射する。そして、導光板９内に入射された光は、導光板９の上面９Ａおよび下面９Ｂで全反射および光散乱粒子で散乱されることで、いずれは、上面９Ａから導光板８内に入射し、上面８Ａから光拡散板２１側に拡散状態で出射される。
【００９５】
各光源部２４，２５，２６，２７のＬＥＤ３から出射し重合導光板２に入射し上面２Ａから拡散状態で出射される光は、重合導光板２内において、導光板８および導光板９内で全反射および散乱されることで照度の均一化が図れられた状態となっている。
【００９６】
重合導光板２の上面２Ａから出射された光は、光拡散板２１の凸条部２８の凸条部内側底面４０、および凸条部２８の光入射面３８に入射され、光拡散板２１内を進行して上面４２から出射される。光拡散板２１には光散乱粒子が含有されている。そのため、光拡散板２１内に入射した光が光拡散板２１内で散乱され、上面４２から出射する光の照度分布の均一化を図ることができる。
【００９７】
ＬＥＤ３から出射される光は、ＬＥＤ３に近い位置では明るく、遠くなるにしたがい暗くなる。しかしながら、照明装置２０では、左右に光源部２４と光源部２５とを備えており、また、前後に光源部２６と光源部２７とを備えている。そのため、左右および前後に向かって光が進行するので、光源部２４と光源部２５同士、および光源部２６と光源部２７同士で互いに照度を補完し合うことになり、重合導光板２の上面２Ａにおける明るさが均一化される。
【００９８】
図１２に示すように、重合導光板２のＬＥＤ３に近い周縁部２９Ａには、フレーム２２の光遮光部３３が配置されている。ＬＥＤ３および周縁部２９Ａから凸条部２８へ入射する光は、光遮光部３３により制限（遮光）され、光入射面３８の一部は遮光領域４３となっている。光遮光部３３は、導光板８に対して配置されるＬＥＤ３から直接光入射面３８に向かう光についても遮光する。
【００９９】
一方、入射領域４４では、ＬＥＤ３から出射され端面８Ｄから入射し、上面２Ａから凸条部２８の光入射面３８に向けて出射された光の一部が入射される。凸条部２８の光入射面３８から入射された光の一部は、破線Ｌ３で示すように、凸条部２８の内周側面４１と外周端面３６とで全反射されながら、また、光散乱粒子で散乱されながら進む。そして、光拡散板２１の上面４２の主として凸条部２８の配置領域上方、すなわち上面４２のＬＥＤ３が配置される側の周縁部から出射される。つまり、ＬＥＤ３から出射され端面８Ｄから入射し、凸条部２８内に入射された光の一部は、内周側面４１と外周端面３６とで全反射されながら、また、光散乱粒子で散乱されながら進むことで、上面４２から拡散状態で出射される。凸条部２８に入射した光は、上面４２のうち凸条部２８の上方部分から主に出射する。
【０１００】
また、図１３に示すように、重合導光板２のＬＥＤ３に近い周縁部２９Ｄにも、フレーム２２の光遮光部３３が配置されている。したがって、光源部２７においても、ＬＥＤ３および周縁部２９Ｄから凸条部２８へ入射する光は、光遮光部３３により制限（遮光）され、光入射面３８の一部は遮光領域４３となっている。光遮光部３３は、導光板９に対して配置されるＬＥＤ３から直接光入射面３８に向かう光についても遮光する。
【０１０１】
一方、周縁部２９Ｄの入射領域４４では、導光板９の端面９Ｆから入射し、導光板９および導光板８を介し、上面２Ａから凸条部２８の光入射面３８に向けて出射された光の一部が入射される。周縁部２９Ｄにおいても周縁部２９Ａと同様に、凸条部２８の光入射面３８から入射された光の一部は、破線Ｌ４で示すように、凸条部２８の内周側面４１と外周端面３６とで全反射されながら、また、光散乱粒子で散乱されながら進み、上面４２のＬＥＤ３が配置される側の周縁部から拡散状態で出射される。周縁部２９Ｄにおいても、凸条部２８に入射した光は、上面４２のうち凸条部２８の上方部分から主に出射する。
【０１０２】
以上説明した照明装置２０は、フレーム２２の光遮光部３３により遮光領域４３が形成されている。これにより、ＬＥＤ３の出射光が、光拡散板２１に直接入射することを防止されている。また、重合導光板２に入射された光の一部は、導光板８，９内で全反射されながら、また、光散乱粒子で散乱されながら、上面２Ａから拡散光として出射され、光拡散板２１に入射される。そして、上面２Ａから出射した光は、光拡散板２１を透過し、この光拡散板２１でさらに拡散された状態で上面４２から出射される。
【０１０３】
さらに、照明装置２０の光拡散板２１には、周縁部２９Ａ，２９Ｂ，２９Ｃ，２９Ｄ毎に対応して凸条部２８が形成されている。凸条部２８が設けられることで、空気に接する外周端面３６および内周側面４１が形成される。そのため、重合導光板２の周縁部２９Ａ，２９Ｂ，２９Ｃ，２９Ｄから出射し凸条部２８の光入射面３８に入射した光の一部は、凸条部２８の内周側面４１と外周端面３６とで全反射されながら、また、光散乱粒子で散乱されながら進み、光拡散板２１の上面４２の周縁部から拡散光を出射させられる。
【０１０４】
つまり、光遮光部３３で遮光領域４３を形成することで、ＬＥＤ３の出射光を光拡散板２１に直接入射させることなく重合導光板２に入射させることができる。重合導光板２に入射した光の一部は、重合導光板２内を全反射されながら、また、光散乱粒子で拡散されながら、上面２Ａから拡散光として出射し、光拡散板２１に入射される。これにより、光を出射している上面４２を見たときに、ＬＥＤ３の部分が周囲に比べて目立って照度の高い部分として見えることを防止できる。
【０１０５】
また、照明装置２０は、光拡散板２１に、重合導光板２の周縁部２９Ａ，２９Ｂ，２９Ｃ，２９Ｄに対応させて凸条部２８が形成されている。そのため、周縁部２９Ａ，２９Ｂ，２９Ｃ，２９Ｄから出射した光を、凸条部２８の光入射面３８から凸条部２８内に導光させることができる。そして、凸条部２８内に導光された光を凸条部２８の内周側面４１と外周端面３６とで全反射させながら、また、光散乱粒子で散乱されることで、光拡散板２１の上面４２の周縁部から拡散光を出射させている。これにより、光遮光部３３を備える構成とした場合にも、上面４２の光遮光部３３が備えられる側の周縁部に、光遮光部３３により遮光され縁取りされたような暗部が生じることを防止できる。
【０１０６】
したがって、上面４２からＬＥＤ３の部分が目立って照度の高い部分として見えることによる見栄えが悪くなることを排除しながら、光出射面の周縁部が縁取りされたように暗くならずに、周縁部を含めて上面４２の全体の明るさを均一化する照明装置２０を提供できる。
【０１０７】
なお、凸条部２８の光の入射領域４４の大きさは、凸条部２８の幅寸法を大きくする、または小さくすることで調整可能であり、そのことによって、重合導光板２から出射された光の凸条部２８への入射量を調整すれば、光拡散板２１の光出射面における中央部と周縁部の照度分布の均一化を容易に図ることができる。
【０１０８】
つまり、入射領域４４幅（図１２においては、左右方向の寸法。図１３においては、前後方向の寸法。）を調整することにより、上面２Ａから凸条部２８に入射する光量を調整できる。これにより、光拡散板２１の上面４２の周縁部から出射する光量を調整できる。たとえば、入射領域４４幅を調整することで、光拡散板２１の上面４２の周縁部とその内側から出射する光量の差が少なくすることができ、上面４２の全体の照度の均一化を図ることができる。なお、入射領域４４幅の調整は、光遮光部４２の幅を調整することで行うことができる。
【０１０９】
本実施の形態における照明装置１において、遮光領域４３は、フレーム２２に設けられた光遮光部３３により形成されている。しかしながら、遮光領域４３は、たとえば、光入射面３８に遮光性を有するテープを貼着したり、あるいは、遮光性を有する塗料の塗布を施すことで形成してもよい。フレーム２２に光遮光部３３を設けることで、テープや塗料の省略といった部材の削減や貼着あるいは塗付工程の省略を行うことができる。
【０１１０】
なお、フレーム２２に保持される重合導光板２は、図７，９に示すように、導光板８および導光板９の上面８Ａおよび上面９Ａに光拡散部１２あるいは光拡散部１２Ａが形成されているものであってもよい。導光板８および導光板９に光拡散部１２あるいは光拡散部１２Ａを形成することで、重合導光板２の上面２Ａから出射する光の照度分布の均一化が図られる。したがって、光拡散板２１に凸条部２８を備えることに加えて、導光板８および導光板９に光拡散部１２あるいは光拡散部１２Ａを形成することで、光拡散板２１の周縁部の照度が低下することを効果的に防止できる。つまり、光拡散板２１の周縁部を含めて光拡散板２１の光出射面である上面４２の照度分布の均一化を図ることができる。
【０１１１】
（照明装置２０の変形例）
なお、照明装置２０において、フレーム２２の光遮光部３３の形状や光拡散板２１の形状等を工夫することによって、上面４２の明るさをさらに均一化させることができる。このことについて、照明装置２０の変形例として以下に説明する。
【０１１２】
（変形例１）
図１４は、照明装置２０の変形例である照明装置２０１を示すものであり、光源部２４と光源部２７とが交差する部分の概略の構成を示す部分平面図である。照明装置２０１は、フレーム４５の形状が、照明装置２０のフレーム２２の形状と異なっている。照明装置２０１は、フレーム４５を除き、照明装置２０と同様の構成である。したがって、図１４において、照明装置２０と同様の構成部分については同一の符号を付しその説明を省略する。
【０１１３】
フレーム４５の光遮光部３３は、複数のＬＥＤ３の配列方向に沿って交互に配置される凸部４５Ａおよび凹部４５Ｂを備えている。凸部４５Ａは、重合導光板２の端面側から上面２Ａへの内側に突出し、ＬＥＤ３の光拡散板２１側の上部を覆い、凸部４５Ａの形成範囲において、ＬＥＤ３から出射される光が、光拡散板２１の凸条部２８に直接入射しないように遮光している。凹部４５Ｂは、隣り合うＬＥＤ３の間の部分に対応する部分を開口しており、ＬＥＤ３から出射される光は、凹部４５Ｂを通過して光拡散板２１側に抜け、光拡散板２１の凸条部２８に入射する。
【０１１４】
上述したように、フレーム４５では、光遮光部３３に、ＬＥＤ３から出射される光を遮光する凸部４５Ａと、ＬＥＤ３から出射される光を通過させる凹部４５Ｂを有している。このことによって、図１１から図１３に示す光遮光部３３のように、凸部４５Ａおよび凹部４５Ｂがないフレーム２２に比べ、凸条部２８に入射する光の明るさの差を小さくすることができる。その結果、上面４２の照度分布の均一化をより図ることができる照明装置２０１を提供できる。
【０１１５】
なお、凸部４５Ａの形状は、図示したように長方形でなくても、先端が細くなる台形や、三角形、先端部を円形にしてもよく、凹部４５Ｂと共に、凸条部２８に入射する光の明るさの差を小さくできる縦横寸法や形状を設定すればよい。また、凸部４５Ａおよび凹部４５Ｂを備えた本実施例のフレーム４５は、以下に説明する各実施の形態に用いることが可能である。
【０１１６】
（変形例２）
次に、照明装置２０の他の変形例である照明装置２０２について、図１５を参照しながら説明する。照明装置２０２は、光拡散板４６の形状が、照明装置２０の光拡散板２１の形状と異なっている。照明装置２０２は、光拡散板４６を除き、照明装置２０と同様の構成である。したがって、図１５において、照明装置２０と同様の構成部分については同一の符号を付しその説明を省略する。図１５は、光拡散板４６の光源部２４と光源部２７とが交差する部分を下方から見た概略の構成を示す部分底面図である。
【０１１７】
光拡散板４６の凸条部２８の光の入射領域４４に接続する内周側面４１には、複数のＬＥＤ３の配列方向に沿うように波型の凹凸面４７が形成されている。なお、図１５では、凹凸面４７の波型の形状は誇張されて表わされている。また、波型の凹凸面４７のピッチとＬＥＤ３の配列ピッチ、および凹凸面４７の深さは任意に設定できる。照明装置２０２においては、凹凸面４７は内周側面４１の上下の幅（凹部３９の深さ方向の幅）全副に亘って形成されているが、たとえば、下側半分、上側半分等に形成してもよい。
【０１１８】
次に、照明装置２０の凸条部２８内の光の進行について図１２，１３，１５を参照しながら説明する。ＬＥＤ３から射出された光は、重合導光板２の端面２Ｃ，２Ｄ，２Ｅ，２Ｆから重合導光板２内に進入する。重合導光板２内に入射された光の一部は、入射領域４４において凸条部２８の光入射面３８に入射する。凸条部２８の光入射面３８から入射した光の一部は、凸条部２８の内周側面４１、外周端面３６を全反射されながら、また、光散乱粒子で拡散されながら進み、光拡散板２１の光出射面の主として凸条部２８の配置位置上方から出射する。
【０１１９】
凸条部２８の内周側面４１には、凹凸面４７が形成されている。そのため、光は、図１５に例示的に矢印Ｒ１で示すように凹凸面４７面で拡散されて凸条部２８内に反射され易い。このようにすることで、フレーム２２が存在しても光拡散板２１の周縁部を明るくして、光拡散板２１の周縁部が縁取りされたように暗くなることをなくすことができる。したがって、光拡散板２１の光出射面全体の照度分布をより均一化することができる。
【０１２０】
（変形例３）
次に、照明装置２０の他の変形例である照明装置２０３について、図１６，１７を参照しながら説明する。照明装置２０３は、光拡散板４８の形状が、照明装置２０の光拡散板２１の形状と異なっている。照明装置２０３は、光拡散板４８を除き、照明装置２０と同様の構成である。したがって、図１６において、照明装置２０と同様の構成部分については同一の符号を付しその説明を省略する。図１６は、光拡散板４８の光源部２４と光源部２７とが交差する部分を下方から見た概略の構成を示す部分底面図である。図１７は、光拡散板４８を矢印Ａ方向から視認した概略の構成を示す側面図である。
【０１２１】
図１６，１７に示すように、光拡散板４８には、凸条部２８の光入射面３８に、凸条部２８を横断する（外周端面３６から内周側面４１に至る）Ｖ字形状の溝４９が形成されている。Ｖ字形状の溝４９は、光のプリズム効果を有するものであって、図１７に示すように、ＬＥＤ３から出射された光は、凸条部２８の光入射面３８の入射領域４４から入射される。入射された光の一部は、例示的に矢印Ｒ２で示すように、Ｖ字形状の溝４９の斜面によって拡散されて凸条部２８内に入射し、凸条部２８の外周端面３６と内周側面４１との間で全反射されながら、また、光散乱粒子で散乱されながら進み、光拡散板２１の上面４２の主として凸条部２８の配置位置上方から出射する。
【０１２２】
図１７は、光源部２４の部分について示しているが、光源部２７についても同様に、導光板９の端面９Ｆに配置されるＬＥＤ３から出射された光は、導光板８を介して凸条部２８の光入射面３８の入射領域４４から入射される。そして、入射された光の一部は、Ｖ字形状の溝４９の斜面によって拡散されて凸条部２８内に入射し、凸条部２８の外周端面３６と内周側面４１との間で全反射されながら、また、光散乱粒子で散乱されながら進み、光拡散板２１の上面４２の主として凸条部２８の配置位置上方から出射する。
【０１２３】
したがって、重合導光板２から出射された光は、光入射面３８で拡散され凸条部２８内に入射される。このことによって、フレーム２２の光遮光部３３が存在しても、凸条部２８が配置される光出射面の周縁部を明るくして、周縁部が縁取りされたように暗くならずに、上面４２から出射する光の照度分布の均一化を図ることができる。
【０１２４】
なお、図１６，１７では、Ｖ字形状の溝４９の大きさは誇張されて表している。このＶ字形状の溝４９は、光のプリズム効果があればよく、ＬＥＤ３に対する相対位置、溝４９の深さ、ピッチは任意に設定することが可能である。したがって、Ｖ字形状の溝４９として、いわゆるプリズムシートを用いることも可能である。
【０１２５】
また、図１６において、Ｖ字形状の溝４９は、凸条部２８の外周端面３６から内周側面４１まで横断しているが、光の入射領域４４の範囲に形成しても同じ効果が得られる。また、凸条部２８を縦断するように（ＬＥＤ３の配列方向に沿って）形成してもよい。
【０１２６】
（変形例４）
次に、照明装置２０の他の変形例である照明装置２０４について、図１８を参照しながら説明する。照明装置２０４は、光拡散板５０の形状が、照明装置２０の光拡散板２１の形状と異なっている。具体的には、光拡散板５０の凸条部２８における光入射面３８の形状が、照明装置２０２に使用される光拡散板４６に形成される波型の凹凸面４７と、照明装置２０３に使用される光拡散板４８に形成されるＶ字形状の溝４９とを併用されたものとなっている。照明装置２０４は、光拡散板５０を除き、照明装置２０と同様の構成である。したがって、図１８において、照明装置２０と同様の構成部分については同一の符号を付しその説明を省略する。図１８は、光拡散板４８の光源部２４と光源部２７とが交差する部分を下方から見た概略の構成を示す部分底面図である。
【０１２７】
図１８に示すように、光拡散板５０の凸条部２８の内周側面４１には、凹凸面４７が形成され、また、凸条部２８の光入射面３８には、溝４９が形成されている。凹凸面４７は、照明装置２０２の光拡散板４６の凸条部２８の内周側面４１に形成される凹凸面４７と同様の構成である。また、溝４９は、照明装置２０３の光拡散板４６の凸条部２８の光入射面３８に形成される溝４９と同様の構成である。
【０１２８】
このように構成される照明装置２０４は、変形例２で説明したように、凸条部２８の内周側面４１には、凹凸面４７が形成されていることから、光は、凹凸面４７面で拡散されて凸条部２８内に入射される。また、変形例３で説明したように、重合導光板２から出射された光は、Ｖ字形状の溝４９で拡散され凸条部２８内に入射される。このように、凸条部２９に、凹凸面４７および溝４９とを設けることによって、フレーム２２が存在しても、凸条部２８が配置される光出射面の周縁部を明るくして、光拡散板２１の周縁部が縁取りされたように暗くなることをなくし、上面４２から出射する光の照度分布の均一化をより効果的に図ることができる。
【０１２９】
（変形例５）
次に、照明装置２０の他の変形例である照明装置２０５について、図１９を参照しながら説明する。照明装置２０５は、照明装置２０２に用いられる光拡散板４６（図１５参照）と、図９に示す光拡散部１２が形成される重合導光板２とを組み合わせて構成したものである。照明装置２０５は、重合導光板２に光拡散部１２が形成される点と、光拡散板４６が用いられている点を除き、照明装置２０と同様の構成である。したがって、図１９において、照明装置２０と同様の構成部分については同一の符号を付しその説明を省略する。図１９は、光拡散板４６の光源部２４と光源部２７とが交差する部分を上方から見た概略の構成を示す部分平面図である。
【０１３０】
照明装置２０５は、重合導光板２に光拡散部１２が形成されることで、重合導光板２の上面２Ａから出射する光の照度分布の均一化が図られる。また、光拡散板４６の凸条部２８の内周側面４１に、波型の凹凸面４７が形成されことにより、重合導光板２の上面２Ａから入射された光が凹凸面４７面で拡散され、照度が落ち易い光拡散板４６の周縁部の照度を上げることができる。したがって、重合導光板２に光拡散部１２が形成されることと、光拡散板４６の内周側面４１に波型の凹凸面４７が設けられることとの相乗効果によって、光拡散板４６の上面４２の周縁部が暗くならずに、光拡散板４６の周縁部を含めて上面４２の照度分布の均一化をより効果的に図ることができる。
【０１３１】
（変形例６）
次に、照明装置２０の他の変形例である照明装置２０６について、図２０を参照しながら説明する。照明装置２０６は、照明装置２０３に用いられる光拡散板４８（図１６参照）と、図９に示す光拡散部１２が形成される重合導光板２とを組み合わせて構成したものである。照明装置２０６は、重合導光板２に光拡散部１２が形成される点と、光拡散板４８が用いられている点を除き、照明装置２０と同様の構成である。したがって、図２０において、照明装置２０と同様の構成部分については同一の符号を付しその説明を省略する。図２０は、光拡散板４６の光源部２４と光源部２７とが交差する部分を上方から見た概略の構成を示す部分平面図である。
【０１３２】
照明装置２０６は、重合導光板２に光拡散部１２が形成されることで、重合導光板２の上面２Ａから出射する光の照度分布の均一化が図られる。また、光拡散板４８の凸条部２８の光入射面３８にＶ字状の溝４９が形成されることにより、重合導光板２の上面２Ａから入射された光が、Ｖ字形状の溝４９のプリズム効果によって拡散され、照度が落ち易い光拡散板４８の周縁部の照度を上げることができる。したがって、重合導光板２に光拡散部１２を形成されたこと、光拡散板４８の凸条部２８の光入射面３８にＶ字状の溝４９が形成されたこととの相乗効果によって、光拡散板４８の上面４２の周縁部が暗くならずに、光拡散板４８の周縁部を含めて上面４２の照度分布の均一化をより効果的に図ることができる。
【０１３３】
（変形例７）
次に、照明装置２０の他の変形例である照明装置２０７について、図２１を参照しながら説明する。照明装置２０７は、照明装置２０４に用いられる光拡散板５０（図１８参照）と、図９に示す光拡散部１２が形成される重合導光板２とを組み合わせて構成したものである。照明装置２０７は、重合導光板２に光拡散部１２が形成される点と、光拡散板５０が用いられている点を除き、照明装置２０と同様の構成である。したがって、図２１において、照明装置２０と同様の構成部分については同一の符号を付しその説明を省略する。図２１は、光拡散板５０の光源部２４と光源部２７とが交差する部分を上方から見た概略の構成を示す部分平面図である。
【０１３４】
照明装置２０７は、重合導光板２に光拡散部１２が形成されることで、重合導光板２の上面２Ａから出射する光の照度分布の均一化が図られる。また、光拡散板５０の凸条部２８に、凹凸面４７および溝４９とを設けることによって、フレーム２２が存在しても、凸条部２８が配置される光出射面の周縁部を明るくして、光拡散板５０の周縁部が縁取りされたように暗くなることをなくし、上面４２から出射する光の照度分布の均一化を図ることができる。したがって、重合導光板２に光拡散部１２を形成されたこと、光拡散板５０の凸条部２８に凹凸面４７および溝４９を設けることとの相乗効果によって、光拡散板５０の上面４２の周縁部が暗くならずに、光拡散板５０の周縁部を含めて上面４２の照度分布の均一化をより効果的に図ることができる。
【０１３５】
（変形例８）
次に、照明装置２０の他の変形例である照明装置２０８について、図２２を参照しながら説明する。照明装置２０８は、上述した照明装置２０の応用例であって、光拡散板２１に加えて、重合導光板２の下面２Ｂ側にも光拡散板２１と同様の構成の光拡散板５１を設け、上下の両面から光を出射可能な構成としている。なお、図２２において、照明装置２０と同様の構成部分については同一の符号を付しその説明を省略する。
【０１３６】
図２２の上段（Ａ）は、照明装置２０８の光源部２４（端面２Ｄ側の部分）を示す部分断面図である。図２２の下段（Ｂ）は、照明装置２０８の光源部２７（端面２Ｆ側の部分）を示す部分断面図である。
【０１３７】
照明装置２０８は、フレーム２２の光遮光部３３と光遮光部３４との間に導光板２が挟み込まれている。導光板２の各端面２Ｃ，２Ｄ，２Ｅ，２Ｆから入射した光は、上面２Ａに加えて下面２Ｂからも出射する。そして、下面２Ｂから出射した光は、光拡散板５１を介して、光拡散板５１の下面５２から下方に出射される。下面５２は、照明装置２０８の光出射面として機能する。上面２Ａから出射した光は、上述したように光拡散板２１を介して、光拡散板２１の上面４２から上方に出射される。
【０１３８】
光遮光部３４は、光遮光部３３と同様の機能であり、ＬＥＤ３から出射される光がそのまま光拡散板５１に入射されないように遮光している。
【０１３９】
光拡散板５１の周縁部は、重合導光板２のＬＥＤ３が配置される側の周縁部２９Ａ，２９Ｂ，２９Ｃ，２９Ｄに対向する位置に向かって突出する凸条部５３が形成されている。凸条部５３の先端部分である光入射面５４は、平面であり、重合導光板２の周縁部２９Ａ，２９Ｂ，２９Ｃ，２９Ｄに対向している。凸条部５３の機能は、凸条部２８と同様である。
【０１４０】
照明装置２０８は、重合導光板２の上面２Ａ側に光拡散板２１が配置され、さらに重合導光板２の下面２Ｂ側に光拡散板５１が配置されている。したがって、照明装置２０８では、上下両側から光を照射することができる。光拡散板５１は、光拡散板２１と同様の構成であり、下面５２の光遮光部３４が備えられる側の周縁部に、光遮光部３４により遮光され縁取りされたような暗部が生じることを防止しながら、光拡散板５１の光出射面である下面５２から出射する光の照度分布の均一化を図ることができる。
【０１４１】
照明装置２０８の重合導光板２には、光拡散部１２あるいは光拡散部１２Ａを形成してもよく、また光拡散板２１，５１に換えて、光拡散板４６、光拡散板４８あるいは光拡散板５０を用いてもよい。
【０１４２】
上述した照明装置２０とその変形例である照明装置２０１，２０２，２０３，２０４，２０５，２０６，２０７，２０８において、外周端面３６と内周側面４１とは、互いに平行な例が示されている。しかしながら、両者は互いに平行に配置されなくてもよい。外周端面３６あるいは内周側面４１の上面２Ａに対する角度を変える（外周端面３６と内周側面４１とが互いに平行でなく角度を有して対向する）ことで、外周端面３６あるいは内周側面４１で全反射する光の光量や全反射させる方向を変えることができる。また、光入射面３８を上面２Ａに対して平行にしたり、あるいは角度を持たせる（非平行）とすることで、上面２Ａから光入射面３８に入射する光の光量を変えることができる。照明装置２０８においては、光入射面５４を下面２Ｂに対して平行にしたり、あるいは角度を持たせる（非平行）とすることで、下面２Ｂから光入射面５４に入射する光の光量を変えることができる。
【０１４３】
なお、照明装置２０、２０１〜２０８は照明装置単品について説明したが、照明装置２０、２０１〜２０８は、複数の照明装置を並列させて大判の照明装置を構成することができる。そのことについて、図２３を参照して説明する。
【０１４４】
（変形例９）
たとえば、図２３に示すように、照明装置２０を前後左右に４個並列させた照明装置２０９を構成することができる。照明装置２０９は、照明装置２０を互い光拡散板２１の外周端面３６同士を密接させて並列されている。
【０１４５】
照明装置２０、上述したように、光出射面である上面４２の周縁部が縁取りされたように暗くならず、周縁部を含めて照度分布が均一化されている。したがって、照明装置２０を並列させたときにも、照明装置２０同士の繋ぎ目部分が縁取りされたようにならずに、見栄えのよい光出射面を有する照明装置２０９を実現できる。
【０１４６】
図１２，１３等に示すように、光拡散板２１の凸条部２８が設けられる側の外周の側面である外周端面３６と、フレーム２２の基部３２の外側面３７とは、同一面内に配置されている。つまり、上面４２の外周の縁部である外周端縁４２Ａは、外側面３７と同一面内に配置されている。そのため、照明装置２０を並列させたときに、並列される上面４２間の隙間を小さくできる。このため、上面４２を連続的に連ならせ、並列された上面４２間の隙間が目立たない大判の光出射面を有する照明装置２０９を実現できる。
【０１４７】
なお、照明装置２０９としては、照明装置２０の配列の仕方は限定されない。たとえば、照明装置２０の配列数は２個または３個でもよく、さらに５個以上であってもよい。
【０１４８】
なお、照明装置２０を複数個並列する場合、光拡散板２１の４辺の外周端縁４２Ａの位置をフレーム２２の外側面３７および重合導光板２の外周端面３６の位置に一致させるか、または突出させ、光拡散板２１の外周端縁４２Ａ同士を密接させる。このようにすることで、隣り合う光拡散板２１の隙間を排除し易くなり、個々の光拡散板２１の周縁部が縁取りされたように暗くならずに、光出射面の全体の照度分布が均一化された照明装置２０９を実現できる。なお、複数の照明装置２０を並列させたとき、光拡散板２１の厚さの範囲であれば、照明装置２０に上面４２の高さを変えてもよい。
【０１４９】
上述した実施の形態においては、光拡散板２１は、平面視において四角形の例を示したが、三角形、五角形等の多角形とすることもできる。
【０１５０】
上述の照明装置２０，２０１〜２０９では、周縁部２９Ａ，２９Ｂ，２９Ｃ，２９Ｄと光入射面３８との間に、周縁部２９Ａ，２９Ｂ，２９Ｃ，２９Ｄから出射した光が光入射面３８に入射する光量を制限する光遮光部３３が備えられている。しかしながら、光遮光部３３を備えない構成としてもよい。光遮光部３３を備えない構成とした場合であっても、光拡散板２１に凸条部２８が設けられていることで、周縁部２９Ａ，２９Ｂ，２９Ｃ，２９Ｄから出射し光入射面３８に入射した光は凸条部２８内で散乱され上面４２の周縁部から出射させられる。そのため、上面４２の全面から光を出射させることができる。しかしながら、光入射面３８に入射する光量の調整が必要な場合には、光遮光部３３を備えることで周縁部２９Ａ，２９Ｂ，２９Ｃ，２９Ｄから出射し光入射面３８に入射する光量を調整できる。つまり、光拡散板２１の上面４２の周縁部２９Ａから出射する光量を調整できる。
【０１５１】
また、重合導光板２および光拡散板２１については、光散乱粒子が含有されていることで、重合導光板２および光拡散板２１の内部を進行する光を散乱させる構成としているが、重合導光板２の光出射面である２Ａや光拡散板２１の上面４２を微細な凹凸形状を形成することによって光を散乱させるための処理である粗面化処理や、凸レンズ形状、凹レンズ形状、円錐形状の凹凸やＶ字形状の溝を形成してもよい。このような微細な凹凸形状を形成することによって、光散乱粒子を含まない透明な重合導光板２および光拡散板２１であっても、上面２Ａや上面４２において光を散乱させることができる。
【符号の説明】
【０１５２】
１  …  照明装置
２Ａ  …  上面（第１光出射面）
３  …  ＬＥＤ（光源）
４，５  …  ＦＰＣ（フレキシブル基板）
８，９  …  導光板
８Ａ  …  上面（光出射面）
８Ｂ  …  下面（光出射面）
９Ａ  …  上面（光出射面）
９Ｂ  …  下面（光出射面）
８Ｃ〜８Ｆ，９Ｃ〜９Ｆ  …  光入射面（端面）
１２，１２Ａ  …  光拡散部
２１  …  光拡散板
２０，２０１〜２０９  …  照明装置
２８  …  凸条部
２９Ａ，２８Ｂ，２９Ｃ，２９Ｄ  …  周縁部
３３  …  光遮光部
３８  …  光入射面（第２光入射面）
４０  …  凸条部内側底面（第１光入射面）
４２  …  上面（第２光出射面）
【図１】
2014235784.tif 000003
【図２】
2014235784.tif 000004
【図３】
2014235784.tif 000005
【図４】
2014235784.tif 000006
【図５】
2014235784.tif 000007
【図６】
2014235784.tif 000008
【図７】
2014235784.tif 000009
【図８】
2014235784.tif 000010
【図９】
2014235784.tif 000011
【図１０】
2014235784.tif 000012
【図１１】
2014235784.tif 000013
【図１２】
2014235784.tif 000014
【図１３】
2014235784.tif 000015
【図１４】
2014235784.tif 000016
【図１５】
2014235784.tif 000017
【図１６】
2014235784.tif 000018
【図１７】
2014235784.tif 000019
【図１８】
2014235784.tif 000020
【図１９】
2014235784.tif 000021
【図２０】
2014235784.tif 000022
【図２１】
2014235784.tif 000023
【図２２】
2014235784.tif 000024
【図２３】
2014235784.tif 000025